(57)【要約】【課題】  壁パネルを建物のコンクリート床面に簡単且つ確実に、高い精度で取り付けることができ、従来よりも部品点数が少なく、低コスト化を図ることが可能な壁パネルの取付金具、及び壁パネルの取付構造を提供する。【解決手段】  壁パネルの取付金具１は、コンクリート床面４に当接する水平ベース部１ａの中心から上方に垂直に立設され、壁パネル３の下端小口面に設けた孔部３ａに嵌挿し得る棒状部１ｂを具えている。水平ベース部１ａは一端部から上方に伸びた垂直板状部１ｃと、一端部又は他端部に設けられ且つコンクリート床面４に直線状に配置固定された固定鋼材５に溶接される一対の溶接部１ｄとを有している。棒状部１ｂの外周の一部には、キャップ状やリング状の弾性摺動部材を具えることが好ましい。【選択図】      図４
2014101630.tif 000002
【特許請求の範囲】
【請求項１】
軽量気泡コンクリートの壁パネルをコンクリート床に取り付けて固定するための取付金具であって、コンクリート床面に当接する水平ベース部と、水平ベース部の中心から上方に垂直に立設され、壁パネルの下端小口面に設けた孔部に嵌挿し得る棒状部と、水平ベース部の一端部から上方に垂直に伸びた垂直板状部と、水平ベース部の一端部又は該一端部と対向する他端部に設けられ、コンクリート床面に直線状に配置固定された固定鋼材に溶接される一対の溶接部とを有することを特徴とする壁パネル取付金具。
【請求項２】
前記棒状部の少なくとも外周の一部に、壁パネルの下端小口面に設けた孔部の内周面と圧接した状態で壁パネルを係合する弾性摺動部材を具えていることを特徴とする、請求項１に記載の壁パネル取付金具。
【請求項３】
前記弾性摺動部材は、前記棒状部の先端部に嵌着されたキャップ又は前記棒状部の外周部に固定された複数のリングであることを特徴とする、請求項２に記載の壁パネル取付金具。
【請求項４】
前記棒状部の先端部に嵌着されたキャップが外周に複数の突起を有することを特徴とする、請求項３に記載の壁パネル取付金具。
【請求項５】
水平ベース部の中心から上方に垂直に立設された棒状部を有する取付金具を用い、軽量気泡コンクリートの壁パネルをコンクリート床に固定する壁パネルの取付構造であって、壁パネルの下端小口面に設けた孔部に取付金具の棒状部を嵌挿すると共に、水平ベース部の一端部から上方に垂直に伸びた垂直板状部を壁パネルの側面に当接させて保持し、該壁パネルに保持固定した取付金具の水平ベース部をコンクリート床面に当接させ、水平ベース部の一端部又は該一端部と対向する他端部に設けた一対の溶接部をコンクリート床面に直線状に配置固定された固定鋼材に溶接することにより、壁パネルをコンクリート床に固定したことを特徴とする壁パネルの取付構造。
【請求項６】
前記棒状部の少なくとも外周の一部に弾性摺動部材が設けてあり、該弾性摺動部材が壁パネルの下端小口面に設けた孔部の内周面と圧接した状態で壁パネルと係合していることを特徴とする、請求項５に記載の壁パネル取付構造。
【請求項７】
前記弾性摺動部材は、前記棒状部の先端部に嵌着されたキャップ又は前記棒状部の外周部に固定された複数のリングであることを特徴とする、請求項６に記載の壁パネル取付構造。
【請求項８】
前記棒状部の先端部に嵌着されたキャップが外周に複数の突起を有することを特徴とする、請求項７に記載の壁パネル取付構造。
【発明の詳細な説明】
【技術分野】
【０００１】
本発明は、建築物の床面に屋内壁を構成するため、軽量気泡コンクリート（ＡＬＣ）の壁パネルに取り付けて使用する取付金具、及び壁パネルの取付構造に関するものである。
【背景技術】
【０００２】
軽量気泡コンクリートの壁パネルを建築物のコンクリートスラブ（床）に取り付けて、屋内壁を構成する方法及びその壁構造には種々のものが知られている。このうち、耐震性の壁構造の一種として、壁パネルが下端小口面の中心を支点として壁面に沿って若干揺動可能に取り付けられている構造、いわゆるロッキング構造が多く採用されている。
【０００３】
従来、かかるロッキング構造により壁パネルを建築物の基礎や床等に取り付けるに際して、取付けの容易化及び部品点数の削減による低コスト化を図る工夫がなされている。例えば、特許文献１（特開平１１−１１７４３３号公報）には、壁パネルの下端小口面に設けた穴内に取付金具の棒状部材を嵌入し、取付金具の台座を基礎の上面に当接させ、その台座を銃砲ピンで基礎に固定する壁パネルの取付構造が記載されている。
【０００４】
また、特許文献２（特開２０１１−１５７７９２号公報）には、ＡＬＣパネルの短辺小口面に穿設した孔にアンカー部材を挿入し、長辺小口面に穿設した孔には棒状部材を挿入して、パネル内部でアンカー部材の支持部の貫通孔に棒状部材を挿通し、アンカー部材の螺合部に隙間形成部材を介して螺合部材を螺合することにより、パネルの短辺小口面の中央に隙間形成部材を取付け、この隙間形成部材を建物躯体に固定するＡＬＣパネルの取付構造が記載されている。
【０００５】
しかしならが、上記特許文献1及び２に記載の取付構造においては、棒状部材やアンカー部材をパネル下端の短辺小口面に設けた孔に挿入するだけであるため、取付金具や隙間形成部材を建物躯体の基礎に固定する際にパネルが外れたり回転したりしやすい。そのため、複数のパネルで壁面を構成する場合の壁面全体の平滑性が悪くなり、調整を行わなければ全体に平滑な壁面が得られないため、作業が面倒で施工性に劣るという問題があった。
【０００６】
更に、特許文献３（特開平１１−３０３２５７号公報）には、壁パネルの下端面の下方に平行に設けられた受け片と、建物の躯体側に固定される固定片とを有し、受け片の雌ネジ部に螺合した面付き雄ネジ部材を具えた自重受け金具を使用して、壁パネル内部に埋設したアンカー鋼棒に係合されたＯボルトを取付片の溝に取り付けると共に、面付き雄ネジ部材により壁パネルの高さ調整が可能な壁パネルの自重受け構造が記載されている。
【０００７】
しかしながら、上記特許文献３に記載された壁パネルの自重受け構造によれば、受け片と取付片とで壁パネル下部の下端面と背部を支持するため壁パネルの据わりはよいが、壁パネル内部に予めアンカー鋼棒や特殊なボルトを埋設しておく必要があるうえ、躯体側にアンカーボルトで固定される固定片が壁パネルごとに独立し、壁面全長に渡って一体となっていないため、自重受け部材の取付精度を高めることが難しいなど作業が面倒であり施工性にも劣るという問題があった。
【先行技術文献】
【特許文献】
【０００８】
【特許文献１】特開平１１−１１７４３３号公報
【特許文献２】特開２０１１−１５７７９２号公報
【特許文献３】特開平１１−３０３２５７号公報
【発明の概要】
【発明が解決しようとする課題】
【０００９】
本発明は、上記した従来の壁パネルの取付金具及び取付構造の問題点に鑑み、壁パネルを建物のコンクリート床面に取り付けて壁面を形成する場合に、壁パネルを簡単に且つ精度良く取り付けることができ、従来よりも部品点数が少なく且つ取付け費用の更なる低コスト化を図ることが可能な壁パネルの取付金具、及びその取付金具を用いた壁パネルの取付構造を提供することを目的とする。
【課題を解決するための手段】
【００１０】
上記目的を達成するため、本発明が提供する壁パネル取付金具は、軽量気泡コンクリートの壁パネルをコンクリート床に取り付けて固定するための取付金具であって、コンクリート床面に当接する水平ベース部と、水平ベース部の中心から上方に垂直に立設され、壁パネルの下端小口面に設けた孔部に嵌挿し得る棒状部と、水平ベース部の一端部から上方に垂直に伸びた垂直板状部と、水平ベース部の一端部又は該一端部と対向する他端部に設けられ、コンクリート床面に直線状に配置固定された固定鋼材に溶接される一対の溶接部とを有することを特徴とする。
【００１１】
上記本発明による壁パネル取付金具においては、前記棒状部の少なくとも外周の一部に、壁パネルの下端小口面に設けた孔部の内周面と圧接した状態で壁パネルを係合する弾性摺動部材を具えることができる。また、上記弾性摺動部材としては、前記棒状部の先端部に嵌着されたキャップか、又は前記棒状部の外周部に固定された複数のリングであることが好ましい。
【００１２】
また、本発明が提供する壁パネルの取付構造は、水平ベース部の中心から上方に垂直に立設された棒状部を有する取付金具を用い、軽量気泡コンクリートの壁パネルをコンクリート床に固定する壁パネルの取付構造であって、壁パネルの下端小口面に設けた孔部に取付金具の棒状部を嵌挿すると共に、水平ベース部の一端部から上方に垂直に伸びた垂直板状部を壁パネルの側面に当接させて保持し、該壁パネルに保持固定した取付金具の水平ベース部をコンクリート床面に当接させ、水平ベース部の一端部又は該一端部と対向する他端部に設けた一対の溶接部をコンクリート床面に直線状に配置固定された固定鋼材に溶接することにより、壁パネルをコンクリート床に固定したことを特徴とするものである。
【発明の効果】
【００１３】
本発明によれば、壁パネルの取り付けに従来必要であった特殊なボルトやナットを用いることなく、従来よりも少ない部品点数の取付金具を使用して、壁パネルを施工性良く且つ高い壁面精度（平滑度）で容易に取り付けることができ、取付け費用の更なる低コスト化を図ることができる。しかも、壁パネルを取付金具の棒状部と垂直板状部で挟持すると同時に、壁パネルを下端小口面の中心を支点として壁面に沿って若干揺動可能に取り付けることにより、いわゆるロッキング構造を構築して、室内壁の耐震性能を向上させることができる。
【図面の簡単な説明】
【００１４】
【図１】本発明による取付金具の一具体例を示す概略の斜視図である。
【図２】本発明による弾性摺動部材を有する取付金具の一具体例を示す概略の斜視図である。
【図３】本発明による弾性摺動部材を有する取付金具の他の具体例を示す概略の斜視図である。
【図４】本発明による取付金具を用いた壁パネルの取付構造の一具体例を示す概略の断面図である。
【図５】図４の取付構造により構築された屋内壁の一具体例を一部切り欠いて示す概略の斜視図である。
【発明を実施するための形態】
【００１５】
本発明の壁パネル取付金具について、図１を参照して具体的に説明する。図１は本発明による壁パネル取付金具の一具体例であり、この取付金具１は、コンクリート床面（図示せず）に当接する水平ベース部１ａと、水平ベース部１ａの中心から上方に垂直に立設された棒状部１ｂと、水平ベース部１の一端部から上方に垂直に伸びた垂直板状部１ｃと、水平ベース部１ａの垂直板状部１ｃを設けた一端部又は該一端部と対向する他端部に設けられた一対の溶接部１ｄとを有している。尚、棒状部１ｂは、壁パネルを保持するために、長さが７０ｍｍ〜１２０ｍｍ程度及び太さが８ｍｍ〜１９ｍｍ程度であることが好ましい。
【００１６】
一方、壁パネルの下端小口面の中心には、取付金具１の棒状部１ｂを嵌挿することができる孔部が予め穿設されている。壁パネルの下端小口面に設ける孔部の内径は、孔部の内周面に棒状部１ｂが摺動しながら隙間なく嵌挿でき且つ若干揺動可能となるように、棒状部１ｂの外径と略同一か又は若干大きいことが望ましい。この壁パネルの下端小口面に設けた孔部に取付金具１の棒状部１ｂを嵌挿し、壁パネルの下端小口面に取付金具１の水平ベース部１ａを当接させることによって、取付金具１の棒状部１ｂと垂直板状部１ｃとの間で壁パネルを挟持して、壁パネルが回転したりしないように確実に保持することができる。
【００１７】
本発明の壁パネル取付金具は、その棒状部の少なくとも外周の一部に弾性摺動部材を具えることが好ましい。弾性摺動部材は、外径を孔部の内径よりも小さくした棒状部に固定することにより、壁パネルに設けた孔部の内周面と摺動しながら隙間なく嵌挿して、孔部の内周面と圧接した状態で壁パネルを係合することができるため、壁パネルに取付金具を緩みなく且つ若干揺動可能となるように取り付けることができる。
【００１８】
また、弾性摺動部材を壁パネル取付金具の棒状部の少なくとも外周の一部に配置固定することによって、施工時に壁パネルを吊り上げたときに、壁パネルに設けた孔部に挿入係合されたパネル取付金具が抜け落ちたり、回転したりするのを防止することができるため、予め壁パネルに取付金具を設置した状態で施工することが可能となる。弾性摺動部材の材質としては、天然ゴムや剛性ゴムが好ましく、耐熱性、耐薬品性、耐候性を確保する理由から、エチレン・プロピレンゴム（ＥＰＭ、ＥＰ、ＥＰＤＭ）、クロロプレンゴム（ＣＲ）、ネオプレンゴムなどが特に好ましい。
【００１９】
上記弾性摺動部材の形状は特に限定されないが、例えば、図２に示すように棒状部１ｂの先端部に嵌着されたキャップ２ａ、若しくは図３に示すような棒状部１ｂの外周部に固定された複数のリング２ｂが好ましい。また、上記弾性摺動部材の形状がキャップの場合には、外周に複数の突起を設けることによって、壁パネルの孔部への嵌挿がより容易になるため特に好ましい。突起の形状や配置に制限はないが、複数の突起をキャップの周方向に等間隔に且つ長さ方向に直線状に配置することが望ましい。
【００２０】
弾性摺動部材がキャップの場合、その肉厚は１.０ｍｍ未満では脱落しやすくなり、２.５ｍｍを超えると孔部に挿入し難くなるため、１.０〜２.４ｍｍの範囲が好ましい。尚、キャップ表面に突起を設けると、更に固定効果が高まる。その場合の突起の寸法としては、０.４ｍｍ〜０.８ｍｍ程度が好ましい。また、弾性摺動部材がリングの場合、その太さ（直径）は０.５ｍｍ未満では脱落しやすくなり、３ｍｍを超えると孔部に入り難くなるため、０.５〜２.９ｍｍの範囲が好ましい。
【００２１】
次に、本発明の壁パネル取付金具を用いてコンクリート床面に壁パネルを取り付ける方法について、図２の取付金具を用いた図４を参照して具体的に説明する。まず、壁パネル３の下端小口面の中心に設けた孔部３ａに取付金具１の棒状部１ｂを嵌挿し、取付金具１の水平ベース部１ａが壁パネル３の下端小口面に当接するまで押し込んで保持する。この取付金具１を取り付けた壁パネル３を、下端小口面を下にしてコンクリート床面４に載せ、一対の溶接部１ｄを予めコンクリート床面４にコンクリートアンカー６で固定された直線状の固定鋼材５の上に配置した後、一対の溶接部１ｄを固定鋼材５に溶接して固定する。
【００２２】
取付金具１の一対の溶接部１ｄは、水平ベース部１ａの垂直板状部１ｃを設けた一端部か、若しくは該一端部と対向する他端部に設けることができる。また、取付金具１の一対の溶接部１ｄは、水平ベース部１ａの下面から固定鋼材５の厚みだけ上方に曲折していることが好ましい。このように一対の溶接部１ｄを水平ベース部１ａの下面から固定鋼材５の厚みだけ上方に曲折させることによって、壁パネル３の下端小口面をコンクリート床面４に載せ且つ一対の溶接部１ｄを固定鋼材５上に載せた状態で、一対の溶接部１ｄの曲折部を固定鋼材５の側面に押し当てるだけで、壁パネル３を直線状の固定鋼材５と平行に配置することができる。その後、一対の溶接部１ｄを固定鋼材５に溶接することによって、壁パネル３をコンクリート床面４に高い精度で取り付けることができる。
【００２３】
上記した方法を繰り返すことにより、図５に示すように、複数の壁パネル３を直線状の固定鋼材５と平行に配置してコンクリート床面４に取り付け、高い壁面精度の屋内壁を簡単に構成することができる。また、本発明の取付金具を使用すれば、壁パネル取付け用の特殊なボルトやナットなどを用いることなく、壁パネルをコンクリート床面に簡単且つ確実に取り付けることができる。しかも、コンクリート床面に予め直線状に固定した固定鋼材により、パネル壁面の精度（平滑度）合わせが極めて容易となる。更に、壁パネルに取り付けた取付金具は、施工中に動いたり外れたりすることがないため、壁パネルの施工性にも優れている。
【００２４】
特に、取付金具の棒状部に弾性摺動部材を設けることによって、壁パネルを確実且つ強固に保持した状態で、しかも壁パネルが下端小口面の中心を支点として壁面に沿って若干揺動可能に取り付けられた構造、いわゆるロッキング構造を簡単に構築することができる。しかも、取付金具の棒状部に設けた弾性摺動部材によって、取付金具を壁パネルの孔部に挿入保持した状態で安全に施工することができるため施工性が向上すると共に、優れた免震性能を備えた壁パネルの取付構造を提供することができる。
【符号の説明】
【００２５】
１      取付金具
１ａ    水平ベース部
１ｂ    棒状部
１ｃ    垂直板状部
１ｄ    溶接部
２ａ    キャップ
２ｂ    リング
３      壁パネル
３ａ    孔部
４      コンクリート床面
５      固定鋼材
６      コンクリートアンカー
【図１】
2014101630.tif 000003
【図２】
2014101630.tif 000004
【図３】
2014101630.tif 000005
【図４】
2014101630.tif 000006
【図５】
2014101630.tif 000007